(57)【要約】      （修正有）【課題】高い光効率を有する液晶表示装置を提供する。【解決手段】赤色画素を有する赤色フィルター２３０Ｒ、緑色画素を有する緑色フィルター２３０Ｇ、青色画素を有する青色フィルター２３０Ｂ及び白色画素（Ｗ）を有する液晶表示パネル及び該液晶表示パネルの一側に配置されているバックライトユニット３５０を含み、バックライトユニット３５０が発散する光はｘ色座標が０．３１から０．３４の間であり、ｙ色座標が０．３２から０．３５の間である液晶表示装置を提供する。上記のように、赤、緑、青及び白色の画素を一つのドットとして利用して画像を表示すれば、全体的に光効率が高まる。【選択図】図１
2014123132.tif 000002
【特許請求の範囲】
【請求項１】
互いに隣接する白色画素及び青色画素、前記白色画素及び前記青色画素を中心に対角線方向に互いに対向する一対の第３色画素、また前記白色画素及び前記青色画素を中心に対角線方向に互いに対向して前記第３色画素と隣接する一対の第４色画素を含む画素配列；
行方向にのびて前記画素に走査信号またはゲート信号を伝達する複数のゲート線；
列方向にのびて前記画素に画像またはデータ信号を伝達する複数のデータ線；
を含む薄膜トランジスタを含み、
前記各画素は、画素電極と薄膜トランジスタを含み、
前記第１色画素及び前記第２色画素のうちの少なくとも１つの形態は、前記第３色画素及び前記第４色画素の形態と異なり、
前記第１色画素及び前記第２色画素の形態は同一であり、
前記白色画素周囲のブラックマトリックスの幅は、他の色画素周囲のブラックマトリックスの幅に比べて広い、液晶表示装置。
【請求項２】
前記第３色画素が示す第３色及び前記第４色画素が示す第４色は、それぞれ赤色及び緑色のうちのいずれか１つに対応する、請求項１に記載の液晶表示装置。
【請求項３】
行方向または列方向に配列された少なくとも二つの画素グループを含み、
前記少なくとも二つの画素グループは、少なくとも１つの第１色副画素、少なくとも１つの第２色副画素、少なくとも１つの青色副画素、及び少なくとも１つの白色副画素を含む第１画素グループを含み、
前記第１画素グループにおいて、前記少なくとも１つの青色副画素は、前記第１色副画素及び前記第２色副画素に対角線方向に隣接しており、
前記第１画素グループにおいて、前記少なくとも１つの白色副画素は、前記第１色副画素及び前記第２色副画素に対角線方向に隣接しており、
前記第１色副画素及び前記第２色副画素のうちの少なくとも１つの形態は、前記第３色副画素及び前記第４色副画素の形態と異なり、
前記第１色副画素及び前記第２色副画素の形態は同一であり、
前記白色画素周囲のブラックマトリックスの幅は、他の色画素周囲のブラックマトリックスの幅に比べて広く形成される、画素配列。
【請求項４】
少なくとも１つの第５色副画素、少なくとも１つの第６色副画素、少なくとも１つの白色副画素、及び少なくとも１つの青色副画素を含む第２画素グループを更に含み、
前記第２画素グループにおいて、前記少なくとも１つの白色副画素は、前記第５色副画素及び前記第６色副画素に対角線方向に隣接しており、
前記第２画素グループにおいて、前記少なくとも１つの青色副画素は、前記第５色副画素及び前記第６色副画素に対角線方向に隣接している、請求項３に記載の画素配列。
【請求項５】
前記第１色副画素が示す第１色は、前記第６色副画素が示す第６色と同一であり、前記第２色副画素が示す第２色は、前記第５色副画素が示す第５色と同一である、請求項４に記載の画素配列。
【請求項６】
前記第１色は赤色であり、前記第２色は緑色である、請求項５に記載の画素配列。
【請求項７】
前記青色副画素は、前記白色副画素に隣接し、前記白色副画素は前記青色副画素に隣接する、請求項６に記載の画素配列。
【発明の詳細な説明】
【技術分野】
【０００１】
本発明は液晶表示装置に関し、さらに詳しくは高解像度で画像を表示するための画素配列構造を有する液晶表示装置及びその駆動装置に関する。
【背景技術】
【０００２】
液晶表示装置は一般に電場を生成する電極を有している二つの基板の間に液晶物質を注入しておいて、二つの電極に互いに異なる電位を印加することによって電界を形成して液晶分子の配列を変更させ、これによって光の透過率を調節することにより画像を表現する装置である。
【０００３】
このような液晶表示装置は画素電極と赤（Ｒ）、緑（Ｇ）、青（Ｂ）の色フィルターが形成されている複数の画素を有し、配線を通じて印加される信号によって各画素が駆動されて表示動作が行われる。配線には走査信号を伝達するゲート線（または走査信号線）、画像信号を伝達するデータ線（または画像信号線）があり、各画素には一つのゲート線及び一つのデータ線と連結されている薄膜トランジスタが形成されており、これを通じて画素に形成されている画素電極に伝達される画像信号が制御される。
【発明の概要】
【発明が解決しようとする課題】
【０００４】
しかし、赤（Ｒ）、緑（Ｇ）、青（Ｂ）の三色画素に基づいて一つのドットを表示する従来の液晶表示装置では光効率が低下するという短所がある。具体的に、赤（Ｒ）、緑（Ｇ）、青（Ｂ）それぞれの画素には色フィルターがあるが、このような色フィルターは印加される光の１／３程度だけを透過させるために、全体的に光効率が落ちる。
【０００５】
一方、それぞれの画素に赤（Ｒ）、緑（Ｇ）、青（Ｂ）の色フィルターを多様に配列して様々なカラーを表示することができ、配列方法としては同一色のカラーフィルターを画素列単位で配列するストライプ型、列及び行方向に赤（Ｒ）、緑（Ｇ）、青（Ｂ）のカラーフィルターを順次に配列するモザイク型、列方向に単位画素を交差するようにジグザグ形態で配置し、赤（Ｒ）、緑（Ｇ）、青（Ｂ）のカラーフィルターを順次に配列するデルタ型などがある。デルタ型の場合には赤（Ｒ）、緑（Ｇ）、青（Ｂ）の色フィルターを含む３つの単位画素を一つのドットで画像表示する時、画面表示で円形や対角線を表現するのに有利な表現能力を有している。
【０００６】
また、“ＣｌａｉｒＶｏｙａｎｔｅ  Ｌａｂｏｒａｔｏｒｉｅｓ”では画像を表示する時に一層有利な高解像度の表現能力を有すると同時に、設計費用を最少化することができる“Ｔｈｅ  Ｐｅｎ  Ｔｉｌｅ  ＭａｔｒｉｘＴＭ  ｃｏｌｏｒ  ｐｉｘｅｌ  ａｒｒａｎｇｅｍｅｎｔ”という画素配列構造を提案した。このようなペンタイルマトリックスの画素配列構造では、互いに隣接する青色の単位画素は一つのデータ駆動集積回路によってデータ信号が伝達され、互いに異なるゲート駆動集積回路によって駆動される。このようなペンタイルマトリックス画素構造を利用すればＳＶＧＡ（Ｓｕｐｅｒ  Ｖｉｄｅｏ  Ｇｒａｐｈｉｃｓ  Ａｒｒａｙ）級の表示装置を利用してＵＸＧＡ（Ｕｌｔｒａ  Ｅｘｔｅｎｄｅｄ  Ｇｒａｐｈｉｃｓ  Ａｒｒａｙ）級の解像度を実現することができる。さらに、低価格のゲート駆動集積回路の数は増加するが、相対的に高価なデータ駆動集積回路の数を減らすことができるので、表示装置の生産費用を軽減することができる。
【０００７】
しかし、ペンタイルマトリックス画素構造では青色画素のサイズが赤色及び緑色画素のサイズと異なるために、液晶充電率差による維持容量の変更などが要求され、また、二つの青色画素を一つの配線で連結して駆動するので画素特性の不均一が発生するなどの問題点が発生する。
【０００８】
特に、青色画素は既存ストライプ形式で配置されているために、解像度が十分でない場合には青色画素による縦線パターンが容易に視認されるため全体画質を悪化させる問題点が発生する。
【０００９】
本発明の技術的課題は、高い光効率を有する液晶表示装置を提供することにある。
【課題を解決するための手段】
【００１０】
互いに隣接する白色画素及び青色画素、前記白色画素及び前記青色画素を中心に対角線方向に互いに対向する一対の第３色画素、また前記白色画素及び前記青色画素を中心に対角線方向に互いに対向して前記第３色画素と隣接する一対の第４色画素を含む画素配列；
行方向にのびて前記画素に走査信号またはゲート信号を伝達する複数のゲート線；
列方向にのびて前記画素に画像またはデータ信号を伝達する複数のデータ線；
を含む薄膜トランジスタを含み、
前記各画素は、画素電極と薄膜トランジスタを含み、
前記第１色画素及び前記第２色画素のうちの少なくとも１つの形態は、前記第３色画素及び前記第４色画素の形態と異なり、
前記第１色画素及び前記第２色画素の形態は同一であり、
前記白色画素周囲のブラックマトリックスの幅は、他の色画素周囲のブラックマトリックスの幅に比べて広い、液晶表示装置を提供する。
【図面の簡単な説明】
【００１１】
【図１】本発明の第１実施例による液晶表示装置の断面図。
【図２】本発明の第１実施例による液晶表示装置の色フィルター配置図。
【図３】本発明の第２実施例による液晶表示装置の色フィルター配置図。
【図４】本発明の第３実施例による液晶表示装置の色フィルター配置図。
【図５】本発明の第１乃至第３実施例で用いられるバックライトの発光スペクトルを従来のそれと比較したグラフ。
【図６】本発明の第４実施例による液晶表示装置の色フィルターとブラックマトリックスの配置図。
【図７】各々本発明の第５実施例による液晶表示装置用色フィルター表示板の断面図。
【図８】各々本発明の第６実施例による液晶表示装置用色フィルター表示板の断面図。
【図９】本発明の第７実施例による液晶表示装置の断面図。
【図１０】液晶表示装置のセルギャップにともなう応答時間グラフ。
【図１１】本発明の第８実施例による液晶表示装置の画素配置例を示した図面。
【図１２】本発明の第８実施例による液晶表示装置の薄膜トランジスタ基板の画素構造を示した図面。
【図１３】図１２でＸＩＩＩ−ＸＩＩＩ’線に沿って切って示した液晶表示装置用薄膜トランジスタ基板の断面図。
【図１４】本発明の第８実施例による液晶表示装置の画素配置例を拡大図。
【図１５】本発明の第９実施例による液晶表示装置の画素配置例を示した図面。
【図１６】本発明の第９実施例による液晶表示装置の薄膜トランジスタアレイ基板の画素構造を示した図面。
【図１７】図１６でＸＶＩＩ−ＸＶＩＩ’線に沿って切って示した液晶表示装置用薄膜トランジスタアレイ基板の断面図。
【図１８】本発明の第１０実施例による液晶表示装置の画素配置例を示した図面。
【発明を実施するための形態】
【００１２】
添付した図面を参考として本発明の実施例について本発明の属する技術分野における通常の知識を有する者が容易に実施できるように詳細に説明する。しかし、本発明は多様で相異なる形態で実現することができ、ここで説明する実施例に限定されない。
【００１３】
図面上に多様な層及び領域を明確に表現するため、厚さを拡大して示した。明細書全体を通じて類似な部分については同じ図面符号を付けた。層、膜、領域、板などの部分が他の部分の“上に”あるとする時、これは他の部分の“直上に”ある場合だけでなく、その中間に他の部分がある場合も含む。反対に、ある部分が他の部分の“直上に”あるとする時には、中間に他の部分がないことを意味する。
【００１４】
以下、図面を参照して本発明の実施例による液晶表示装置の構造について説明する。
【００１５】
図１は本発明の第１実施例による液晶表示装置の断面図であり、図２乃至図４は本発明の第１乃至第３実施例による液晶表示装置の色フィルター配置図である。
【００１６】
本発明の第１実施例による液晶表示装置は下部表示板、これと対向している上部表示板、下部表示板と上部表示板の間に充填されており、所定方向に配向されている液晶分子を含む液晶層３、上部・下部偏光板２２、１２、上部・下部補償板２３、１３、及びバックライトユニット３５０などで構成される。液晶分子は電界印加によって配向が変わるが、配向が変わる程度によって光の透過量が変わる。
【００１７】
下部表示板はガラスなどの透明な絶縁物質からなる下部基板１１０、その上に形成されている薄膜トランジスタＴＦＴ、薄膜トランジスタＴＦＴと連結されており、ＩＴＯやＩＺＯなどの透明な導電物質からなっている画素電極１９０を含む。この時、薄膜トランジスタＴＦＴは画素電極１９０に印加される画像信号電圧をスイッチングする。
【００１８】
下部基板１１０の下面には下部補償板１３と下部偏光板１２が付着されている。ここで、下部補償板１３は二軸性補償フィルムまたは一軸性補償フィルムを使用することができ、また、時によっては省略してもよい。
【００１９】
下部偏光板１２の下にはバックライトユニット３５０が配置されている。バックライトユニット３５０は冷陰極管を使用する光源３５１及び導光板３５２などで構成されている。この時、光源３５１が発散する光は色座標上ｘ座標で、０．３１から０．３４の間の値を有し、ｙ座標で０．３２から０．３５の間の値を有する光である。このような光は液晶表示装置用バックライトであって、一般に用いられる光源が発散する光に比べて青色成分が多く含まれている。このような光源を得るためには光源３５１が含む青色発光物質を一定量増加させればよい。
【００２０】
図５は本発明の実施例で用いられるバックライトの発光スペクトルを従来のそれと比較したグラフである。
【００２１】
グラフから分かるように、本発明で用いられるバックライトは従来のバックライトに比べて波長４４０〜４７０ｎｍの青色光が強化された代わりに、波長６２０〜６５０ｎｍの赤色光が弱化された。ここで、従来の青色光を“ｂｌｕｅ  １”、強化された青色光を“ｂｌｕｅ  １．０９”または“ｂｌｕｅ  １．１８”とする。
【００２２】
上部表示板はガラスなどの透明な絶縁物質からなる上部基板２１０、その下面に形成されていてマトリックス形で画素を定義するブラックマトリックス２２０、ブラックマトリックス２２０が定義する画素に形成されている赤、緑、青色の色フィルター（２３０Ｒ、２３０Ｇ、２３０Ｂ）及びＩＴＯまたはＩＺＯなどの透明な導電物質からなっている基準電極２７０が形成されている。
【００２３】
ここで、ブラックマトリックス２２０が定義する画素には赤、緑、青色フィルター（２３０Ｒ、２３０Ｇ、２３０Ｂ）が反復的に形成されているが、画素中には赤、緑、青色フィルター（２３０Ｒ、２３０Ｇ、２３０Ｂ）のいずれをも形成していないものが存在する。この画素は白色画素（Ｗ）となり、バックライトが発散する光の全ての成分をほとんど同等に遮断したり通過させる。
【００２４】
赤、緑、青色フィルター（２３０Ｒ、２３０Ｇ、２３０Ｂ）が形成されている赤、緑、青色画素と白色画素の数は同一であり、赤、緑、青及び白色画素が画素行に沿って順次的で反復的に配置されている。この時、青色画素と白色画素の面積は赤色画素や緑色画素の面積に比べて小さく、大略１／２程度である。したがって、白色画素一つと青色画素一つの面積を合せれば、赤色画素や緑色画素一つの面積とほとんど同一である。
【００２５】
一方、白色画素（Ｗ）には色フィルターがないために、この部分のセルギャップが他の色画素部分に比べて大きくなる。
【００２６】
上部基板２１０の上面には上部補償板２３と上部偏光板２２が付着されている。ここで、上部補償板２３としては二軸性補償フィルムや一軸性補償フィルムを用いることができ、また、時によっては省略してもよい。
【００２７】
本発明のように赤、緑、青及び白色の画素を一つのドット（カラー表示用単位画素群）として利用して画像を表示すれば、全体的に光効率が高まる。例えば、液晶表示装置のＴＦＴ基板側偏光器（下部偏光板：１２）を通過する光量を“１”とする。赤、緑及び青色の３つの画素でドットを表示する場合には、各画素の面積の１／３であり、カラーフィルターによって透過率が１／３であるので、一つのドットの全体透過率は［１／３×１／３（Ｒ）］＋［１／３×１／３（Ｇ）］＋［１／３×１／３（Ｂ）］＝１／３＝３３．３％となる。
【００２８】
しかし、本発明の実施例では各画素の面積がドット一つの面積の１／４であり、白色画素の透過率が１であるので（白色画素にはカラーフィルターがないため）、一つのドットの全体透過率は［１／４×１／３（Ｒ）］＋［１／４×１／３（Ｇ）］＋［１／４×１／３（Ｂ）］＋［１／４×１（Ｗ）］＝１／２＝５０％となる。このように本発明の実施例によれば従来の液晶表示装置に比べて輝度が約１．５倍程度さらに高まることが分かる。
【００２９】
また、青色画素と白色画素の面積を赤色画素や緑色画素より小さくすることによって白色画素の追加により一つのドットが占める面積が増加することを防止することができる。この時、白色画素は、赤、緑、青色の各画素に比べて３倍以上の明るさを示すので、これらの約３０％程度の面積だけでも一つの画素として十分な機能を発揮する。また、青色は赤、緑、青三色の中でその光量の変化に対して人が最も鈍感な色であるので、その面積縮少が画質に与える影響は最も小さい。しかし、青色画素の面積が縮少されれば、微々たるものではあっても多少の画質変化、例えば黄色化現象が現れる。黄色化現象とは画像が黄色側に偏る現象のことである。これは青色成分の不足によって発生するもので、不足した青色成分を補充するために本発明では青色成分をさらに多く含む光を発生するバックライトを使用する。
【００３０】
一方、白色画素には色フィルターがないためにセルギャップが他の画素に比べて大きくなるが、セルギャップが大きい場合、白色画素から出る光も黄色側に偏る傾向を有する。このような場合、バックライトの光に青色成分が多く含まれることによって白色画素から出る光が青色化することが防止できる。
【００３１】
第１実施例では赤、緑、青及び白色画素が行に沿って順次に繰り返して現れるように配置されている。しかし、これら画素の配置は多様な変形が可能であり、以下ではこのような変形の例を第２及び第３実施例で説明する。
【００３２】
図３は本発明の第２実施例による液晶表示装置の色フィルターの配置図である。
【００３３】
２行３列の画素マトリックスが一つのドットを形成するようにし、第一行には赤、青、緑色画素を順次に配置し、第二行には緑、白、赤色画素を順次に配置する。
【００３４】
図４は本発明の第３実施例による液晶表示装置の色フィルターの配置図である。
【００３５】
第３実施例は青色画素のサイズが拡大され、白色画素のサイズが縮少されたことを除いては第２実施例と同じ配置構造を有する。白色画素の輝度は赤、緑、青画素に比べて３倍以上高いために、面積が他の画素に比べて１／３程度だけであっても十分な機能を発揮することができる。したがって、白色画素を縮少する代わりに、青色画素を拡大することにより黄色化現状の程度を減少させることができる。
【００３６】
図６は本発明の第４実施例による液晶表示装置の色フィルターとブラックマトリックスの配置図である。
【００３７】
第４実施例は第２実施例と同じ画素配置をしており、白色画素周囲のブラックマトリックス（ＢＭ）の幅が他の部分に比べて拡張された点が特徴である。これは白色画素に色フィルターを形成いないために高くなった段差によって現れる回位線（ディスクリネーション・ライン）を遮るためである。
【００３８】
以上では白色画素のセルギャップが他の画素と差があるために生じた段差による回位線をブラックマトリックスで遮っているが、以下の実施例では白色画素のセルギャップを他の画素と同一にする方法を提示する。
【００３９】
図７は本発明の第５実施例による液晶表示装置用色フィルター表示板の断面図である。
【００４０】
第５実施例による色フィルター表示板は透明な絶縁基板２１０と、絶縁基板２１０の下面に形成されているブラックマトリックス２２０と、ブラックマトリックス２２０が定義する画素ごとに形成されている赤、緑、青、全色透過の透明色フィルター（２３０Ｒ、２３０Ｇ、２３０Ｂ、２３０Ｗ）と、これら色フィルター（２３０Ｒ、２３０Ｇ、２３０Ｂ、２３０Ｗ）の下面に形成されているオーバーコート膜２５０と、オーバーコート膜２５０の下面に形成されている基準電極２７０となどで構成されている。
【００４１】
このような第５実施例による色フィルター表示板の特徴は、白色画素に全色透過フィルター（２３０Ｗ）を形成しておくことにより段差の発生を防止したことである。全色透過フィルター（２３０Ｗ）としては透明な有機物質を使用し、色素を添加しない感光剤を使用するのが好ましい。赤色フィルター２３０Ｒには赤色顔料が含まれている有機物フィルターを、緑色フィルター２３０Ｇには緑色顔料が含まれている有機物フィルターを、青色フィルター２３０Ｂには青色顔料が含まれている有機物フィルターを使用する。オーバーコート膜２５０の材質としては、白色画素の全色透過フィルター（２３０Ｗ）と同一物質で形成すると、例えば製造工程を簡略化でき好ましい。
【００４２】
このように全色透過フィルター（２３０Ｗ）を利用して段差発生を防止すれば、液晶表示装置のセルギャップを均一に形成することができるので白色画素の黄色化現象と段差部分で発生する回位線の発生を防止することができ、応答速度を最適化することもできる。
【００４３】
応答速度の最適化について図１０を参照して具体的に説明する。
【００４４】
図１０は液晶表示装置のセルギャップによる応答時間グラフである。
【００４５】
図１０の“Ｏｎ”は、画素電極と共通電極との間に電圧が印加される瞬間の応答時間（ＢｌａｃｋからＷｈｉｔｅに転換される瞬間の応答時間）、“Ｏｆｆ”は画素電極と共通電極との間に印加されていた電圧が除去される瞬間の応答時間（ＷｈｉｔｅからＢｌａｃｋに転換される瞬間の応答時間）、“Ｏｎ＋Ｏｆｆ”は“Ｏｎ”と“Ｏｆｆ”の応答時間の合計である。図１０に示されているように、応答時間はセルギャップが増加することによってしだいに減少（応答速度が速くなる）して、途中でセルギャップが約３．７μｍである時に最小値を示し、３．７μｍを越えてセルギャップが大きくなれば再び増加する。したがって、セルギャップを３．７μｍ程度に設定するのが好ましい。しかし、白色画素に色フィルターがない場合にはセルギャップが他の画素に比べて１．５〜１．６μｍ程度大きいため、白色画素の応答速度が遅くなる。
【００４６】
図８は本発明の第６実施例による液晶表示装置用色フィルター表示板の断面図である。
【００４７】
第６実施例による液晶表示装置用色フィルター表示板では白色画素のセルギャップを均等にするために厚いオーバーコート膜２５０を使用する。色フィルター（２３０Ｒ、２３０Ｇ、２３０Ｂ）を覆うオーバーコート膜２５０を十分に厚く形成することにより白色画素部分での段差が０．２μｍ以内になるようにする。オーバーコート膜２５０の材質としては、透明な有機物質を使用し、色素を添加しない感光剤を使用するのが好ましい。
【００４８】
このようにすれば、第５実施例に比べて全色透過フィルター（２３０Ｗ）を形成する工程を省略することができるので工程単純化側面で有利である。
【００４９】
図９は本発明の第７実施例による液晶表示装置の断面図である。
【００５０】
第７実施例では色フィルター表示板の白色画素の段差をそのまま置いて、その代わりに薄膜トランジスタ表示板の保護膜に突出部を形成して白色画素のセルギャップを均一にする。
【００５１】
第７実施例による液晶表示装置についてさらに具体的に説明する。
【００５２】
まず、色フィルター表示板はガラスなどの透明な絶縁物質からなる上部基板２１０と、その下面に形成されていてマトリックス形で画素を定義するブラックマトリックス２２０と、ブラックマトリックス２２０が定義する画素に形成されている赤、緑、青色の色フィルター（２３０Ｒ、２３０Ｇ、２３０Ｂ）と、色フィルター（２３０Ｒ、２３０Ｇ、２３０Ｂ）を覆っているオーバーコート膜２５０と、ＩＴＯまたはＩＺＯなどの透明な導電物質からなっており、切開部２７１を有する基準電極２７０とが形成されている。
【００５３】
ここで、ブラックマトリックス２２０が定義する画素には赤、緑、青色フィルター（２３０Ｒ、２３０Ｇ、２３０Ｂ）が反復的に形成されているが、画素中には赤、緑、青色フィルター（２３０Ｒ、２３０Ｇ、２３０Ｂ）のいずれをも形成していないものが存在する。この画素は白色画素（Ｗ）となり、バックライトが発散する光の全ての成分をほとんど同等に遮断したり通過させる。白色画素（Ｗ）には色フィルターがないためにこの部分は凹部をなす。
【００５４】
薄膜トランジスタ表示板はガラスなどの透明な絶縁物質からなる下部基板１１０と、その上に形成されている薄膜トランジスタと、薄膜トランジスタと連結されていてＩＴＯやＩＺＯなどの透明な導電物質からなっている画素電極１９０とを含む。この時、薄膜トランジスタは画素電極１９０に印加される画像信号電圧をスイッチングする。画素電極１９０は切開部１９１を有する。
【００５５】
より具体的には、絶縁基板１１０上に形成されているゲート電極１２３と、ゲート電極１２３を覆っているゲート絶縁膜１４０と、ゲート絶縁膜１４０上に形成されている非晶質シリコン層１５４と、非晶質シリコン層１５４上に形成されている抵抗性接触層１６３、１６５と、抵抗性接触層１６３、１６５上に形成されているソース電極１７３及びドレーン電極１７５と、ソース電極１７３とドレーン電極１７５を覆っている保護膜１８０と、保護膜１８０が有する接触孔１８１を通じてドレーン電極１７５と連結されている画素電極１９０などで薄膜トランジスタ表示板が構成される。この時、図示してはいないが、ゲート電極１２３と連結されていて走査信号を伝達するゲート線とソース電極１７３と連結されており、画像信号を伝達するデータ線も形成されている。
【００５６】
ここで、保護膜１８０は白色画素に該当する領域から突出されて凸部をなす。
【００５７】
このように色フィルター表示板の凹部と薄膜トランジスタ表示板の凸部が対応することによって白色画素も他の色画素とほとんど同一なセルギャップを有するようになる。
【００５８】
このような構造の薄膜トランジスタ表示板を製造するためには半透過領域を有する光マスクを使用して写真エッチング工程を行う。つまり、ソース電極１７３とドレーン電極１７５上に保護膜１８０を積層し、保護膜１８０に接触孔１８１を形成する時、光マスクは透明領域、半透過領域及び不透明領域を有するものを使用する。光マスクの配置は透明領域は接触孔１８１部分に、半透過領域は接触孔１８１と白色画素を除いた部分に、不透明領域は白色画素部分に各々対応するように配置する。このように光マスクを配置して保護膜１８０上の感光膜を露光及び現像すれば、接触孔１８１が形成される部分では感光膜が全て除去されて保護膜１８０が露出され、白色画素部分では感光膜がそのまま残っており、その他の部分では感光膜が一部除去されて全体厚さの一部だけが残るようになる。このような感光膜をエッチングマスクとして接触孔１８１を形成し、感光膜をアッシングして全体厚さの一部だけが残っている感光膜部分を除去する。このようにすれば、白色画素部分にだけ感光膜が残るが、これをエッチングマスクとして保護膜１８０をエッチングし、白色画素部分を除いた他の部分を切り取ることにより白色画素部分に高原を形成する。
【００５９】
一方、薄膜トランジスタ表示板を製造する過程には複数の写真エッチング工程が含まれるが、これを減らすための努力が進められている。その努力の一つとして先に言及したような透明領域、半透過領域及び不透明領域を有する光マスクを使用して厚い部分と薄い部分を有する感光膜パターン形成し、これを利用していくつかの層が異なるパターンを有するようにエッチングする方法が利用される。その中で代表的なものは非晶質シリコン層、抵抗性接触層及びデータ金属層を一つの感光膜パターンを利用してエッチングする４枚光マスク工程である。通常、ゲート配線をパターニングする時に１回、非晶質シリコン層及び抵抗性接触層をパターニングする時に１回、データ配線をパターニングする時に１回、保護膜をパターニングする時に１回、画素電極をパターニングする時に１回と、全５回の写真エッチング工程が使用されていて、これを５枚光マスク工程というが、４枚光マスク工程は非晶質シリコン層、抵抗性接触層及びデータ金属層を１枚の光マスクだけを使用して同時にパターニングすることにより光マスク数を１枚減らしたものである。この場合、データ配線と抵抗性接触層パターンが実質的に同じ平面的模様を有し、非晶質シリコン層もチャンネル部を除いた部分ではデータ配線と実質的に同じ平面的模様を有する。
【００６０】
以上のような構造の薄膜トランジスタ表示板と色フィルター表示板を位置合わせして結合し、その間に液晶物質を注入して垂直配向させれば、本発明による液晶表示装置の基本構造が構成される。画素電極１９０の切開部１９１と基準電極２７０の切開部２７１によって画素領域は複数の小ドメインに分割され、各小ドメインはその内部に含まれている液晶が電界によって傾く方向によって４つの種類に分けられる。切開部１９１、２７１は広い視野角を得るために形成する。
【００６１】
以上のように、液晶表示装置のセルギャップを均一に形成すれば、白色画素の黄色化現象を防止し、液晶表示装置の応答速度を最適化することができる。
【００６２】
一方、青色画素の一列配置による縦線パターンの出現を防止するために第８乃至第１０実施例のような液晶表示装置を設ける。
【００６３】
図１１は本発明の第８実施例による液晶表示装置の画素配置例である。
【００６４】
本発明の第８実施例による液晶表示装置には図１１のように、ペンタイルマトリックス形態で赤色、青色、緑色の画素（Ｒ、Ｂ、Ｇ）が配列されており、また、白色画素（Ｗ）が青色画素（Ｂ）に隣接して配列されている。
【００６５】
行方向には赤色、青、緑、赤、白、緑色の画素（Ｒ、Ｂ、Ｇ、Ｒ、Ｗ、Ｇ）が順次に配列されている。そして、一つの列方向には青、白色画素（‥Ｂ、Ｗ、‥）が交互に配置されており、この青、白色画素列の両側には赤色画素及び緑色画素（‥Ｒ、Ｇ‥）が交互に配置されている赤、緑色画素列が配置されている。この時、互いに隣接する二つの行で同一列に配置された青色画素（Ｂ）及び白色画素（Ｗ）を中心として、対角線方向に赤色及び緑色画素（Ｒ、Ｇ）が各々対向するように配置される。
【００６６】
つまり、一つの画素行で、赤色、青色、緑色が順次に配列される第１画素単位（Ｒ、Ｂ、Ｇ）と、赤色、白色、緑色が順次に配列される第２画素単位（Ｒ、Ｗ、Ｇ）が交互に配置されており、この画素行に隣接した画素行では緑色、白色、赤色が順次に配列される第３画素単位（Ｇ、Ｗ、Ｒ）と、緑色、青色、赤色が順次に配列される第４画素単位（Ｇ、Ｂ、Ｒ）が交互に配置されている。
【００６７】
ここでは説明の便宜のために画素を第１乃至第４画素単位に区分して説明しておいるが、このような第１乃至第４画素単位が画像表示において一つのドットを表示するためのものとして用いられるということを意味してはいない。
【００６８】
このように隣接した二つの画素行で第１及び第２画素単位、そして、第３及び第４画素単位が交互に配置される画素構造が二つの画素行単位で配置される。
【００６９】
したがって、隣接した二つの画素行の同一列に位置される青色画素及び白色画素を中心に赤色、緑色の４つの画素（Ｒ、Ｇ）は対角線方向に各々対向するように配置される。
【００７０】
例えば、隣接した二つの画素行の同一列に位置される青色画素（Ｂ）及び白色画素（Ｗ）を中心に赤色、緑色の４つの画素（Ｒ、Ｇ）が対角線方向に各々対向するように配置したことを一つの画素領域という時、このような画素領域が行方向及び列方向に順次に配列され、一つの画素領域の列別に青色及び白色画素の位置関係（上下）が変わる。例えば、一つの画素領域列に配置されたそれぞれの画素領域で青色画素が白色画素の上に配置されれば、隣接した画素領域列のそれぞれの画素領域では白色画素が青色画素の上に配置される。
【００７１】
このような構造によって、本発明の第８実施例による液晶表示装置における青色、赤色及び緑色画素は隣接した二つの画素行の中でジグザグ形態に配置され、白色画素もまた、ジグザグ形態に配置される。
【００７２】
次に、前記の画素配置構造を有する本発明の第８実施例による液晶表示装置の薄膜トランジスタ基板の構造について図１２及び図１３を参照してさらに詳細に説明する。
【００７３】
図１２はこのような画素配置を有する本発明の第８実施例による液晶表示装置の薄膜トランジスタ基板の具体的な画素配置図であり、図１３は図１２でＸＩＩＩ−ＸＩＩＩ’線に沿って切って示した液晶表示装置用薄膜トランジスタ基板の断面図である。
【００７４】
図１２に示すように、本発明の第８実施例によるペンタイル構造の画素配列を有する液晶表示装置では、行方向には赤色、青色、緑色、赤色、白色、緑色の画素（Ｒ、Ｂ、Ｇ、Ｒ、Ｗ、Ｇ）が順次に配列されている。また、一つの列方向には青色、白色画素（‥Ｂ、Ｗ、‥）が交互に配置されており、この青色、白色画素列の両側には赤色画素及び緑色画素（‥Ｒ、Ｇ‥）が交互に配置されている赤色、緑色画素列が配置されている。
【００７５】
この時、図１２に示したように、行方向には走査信号またはゲート信号を伝達するゲート線（または走査信号線）１２１が画素の行方向にそれぞれの画素行に対して一つずつ形成されており、列方向にはデータ信号を伝達しゲート線１２１と交差して単位画素を定義するデータ線１７１がゲート線１２１と絶縁されて画素（‥Ｒ、Ｂ、Ｇ、Ｗ、Ｒ、Ｂ‥）列に対して各々形成されている。ここで、ゲート線１２１とデータ線１７１が交差する部分にはゲート線１２１と連結されているゲート電極１２３と、データ線１７１と連結されているソース電極１７３及びゲート電極１２３に対してソース電極１７３と対向側に形成されているドレーン電極１７５及び半導体層１５４を含む薄膜トランジスタが形成されており、それぞれの画素には薄膜トランジスタを通じてゲート線１２１及びデータ線１７１と電気的に連結されている画素電極１９０が形成されている。
【００７６】
また、ゲート線１２１またはこれと同一層で形成された維持容量用配線に対向して、維持容量を形成する維持蓄電器用導電体パターン１７７が画素電極１９０に接続されて形成されており、維持蓄電器用導電体パターン１７７はゲート線１２１上に形成されており、接触孔１８７を通じて画素電極１９０と連結される。ゲート線１２１で維持蓄電器用導電体パターン１７７が形成されている部分の幅は十分な維持容量を確保するために維持蓄電器用導電体パターン１７７が形成されていない部分の幅より広く形成されている。
【００７７】
更に、データ配線（データ線１７１、ソース電極１７３、ドレーン電極１７５、データ線端部（パッド）１７９の総称）はトランジスタ及び外部回路に連結されている。画素電極１９０からドレーン電極１７５及び維持蓄電器用導電体パターン１７７に連結するための接触孔１８５（または１８１）及び接触孔１８７（図１２及び図１３参照）が保護膜１８０に形成されており、それぞれのデータ線１７１の端部１７９は外部回路との連結のために幅が拡張されている。このような構造で各画素列はデータ線１７１に連結されているデータパッドを通じて各々画像信号の伝達を受ける。
【００７８】
液晶表示装置の薄膜トランジスタ基板の構造についてより具体的に説明すれば、絶縁基板１１０上にゲート配線が形成されている。ゲート配線は、画素の行方向にそれぞれの画素行に対して一つずつ形成されているゲート線１２１、これに連結されている薄膜トランジスタのゲート電極１２３及び端部１２５の総称であって、端部１２５は外部回路との連結のために幅が拡張されている。
【００７９】
基板１１０上にはゲート配線及びゲート絶縁膜１４０が順次形成され、窒化ケイ素（ＳｉＮｘ）などからなるゲート絶縁膜１４０がゲート配線を覆っている。
【００８０】
ゲート電極１２３のゲート絶縁膜１４０上部には非晶質シリコンなどの半導体からなる半導体層１５４が島形に形成されており、半導体層１５４の上部にはシリサイドまたはｎ型不純物が高濃度でドーピングされているｎ＋水素化非晶質シリコンなどの物質で作られた抵抗性接触層１６３、１６５が各々形成されている。これとは異なって、半導体層１５４がデータ線１７１の模様に沿って形成されることもできる。
【００８１】
抵抗性接触層１６３、１６５及びゲート絶縁膜１４０上にはデータ配線が形成されている。データ配線は、ゲート線１２１と交差し画素を定義するように列方向に形成されたデータ線１７１と、データ線１７１の凸部であり、抵抗性接触層１６３の上部までのびているソース電極１７３と、データ線１７１の一端に連結されていて外部からの画像信号の印加を受けるデータパッド１７９と、ソース電極１７３と分離されていてゲート電極１２３に対してソース電極１７３の反対側抵抗性接触層１６５上部に形成されているドレーン電極１７５とを含む。
【００８２】
データ配線及びこれに覆われていない半導体層１５４上部には保護膜１８０が形成されている。保護膜１８０にはドレーン電極１７５及びデータ線の幅が拡張された端部１７９を各々露出する接触孔１８５、１８９が形成されており、ゲート絶縁膜１４０と共にゲート線の幅が拡張された端部１２５を露出する接触孔１８２が形成されている。
【００８３】
保護膜１８０上には接触孔１８５（または１８１）を通じてドレーン電極１７５と電気的に連結されており、画素内に位置する画素電極１９０が形成されている。また、保護膜１８０上には接触孔１８２、１８９を通じて各々ゲート線の端部１２５及びデータ線の端部１７９と連結されている接触補助部材９５、９７が形成されている。
【００８４】
ここで、画素電極１９０は図１２及び図１３に示したように、ゲート線１２１と重なって維持蓄電器をなし、維持容量が不足した場合にはゲート配線１２１、１２５、１２３と同一層に維持容量用配線を追加することもできる。
【００８５】
このような構造からなる本発明の第８実施例による液晶表示装置では外部のデータソース（例えば、グラフィック制御機）から提供されるＲ、Ｇ、ＢデータからＷ（ｗｈｉｔｅ）データを抽出し、これに基づいて再構成したＲ、Ｇ、Ｂ、Ｗデータによってそれぞれの画素を駆動させる。
【００８６】
したがって、隣接した二つの画素行で同一列に位置される青色画素（Ｂ）及び白色画素（Ｗ）を中心に、点対称的に両側に隣接して形成された４つの赤色（Ｒ）及び緑色画素（Ｇ）を一つの画素領域に含ませたドットを下記表１または表２、で表示することができる。
【００８７】
【表１】
2014123132.tif 000003
【００８８】
【表２】
2014123132.tif 000004
【００８９】
また、レンダリング（ｒｅｎｄｅｒｉｎｇ）技法を適用して隣接した二つの画素行において同一列に位置する青色画素（Ｂ）及び白色画素（Ｗ）を基準位置として一方の
側の列のみに赤色及び緑色画素（Ｒ、Ｇ）を隣接配置して一つのドットを下記表３
または表４のように表示することができる。
【００９０】
【表３】
2014123132.tif 000005
【００９１】
【表４】
2014123132.tif 000006
【００９２】
あるいは、青色画素（Ｂ）及び白色画素（Ｗ）を基準位置として他方の側の列の
みに緑色及び赤色画素（Ｇ、Ｒ）を隣接配置して一つのドットを下記表５または表
６のように表示することができる。
【００９３】
【表５】
2014123132.tif 000007
【００９４】
【表６】
2014123132.tif 000008
【００９５】
図１４は、このような構造からなる本発明の第８実施例による液晶表示装置の画素構造を駆動させる場合の画素視認状態を示した図面である。
【００９６】
図１４に示すように、このような本発明の第８実施例によれば赤色画素（Ｒ）及び緑色画素（Ｇ）だけでなく、青色画素（Ｂ）もジグザグ形態に配置され、また、白色画素（Ｗ）も互いに隣接して配置されず、ジグザグ形態に配置されているので、解像度が十分でない場合にも特定画素（例えば、青色画素）による好ましくない縦線パターンが視認されない。したがって、より画質特性が向上したペンタイルマトリックス構造の液晶表示装置を提供することができる。
【００９７】
次に、本発明の第９実施例による液晶表示装置について説明する。
【００９８】
図１５は本発明の第９実施例による液晶表示装置の画素配置例である。
【００９９】
本発明の第９実施例による液晶表示装置の基板には図１５に示されているように、ペンタイルマトリックス形態で前記第８実施例と同一に、行方向には赤色、青色、緑色、赤色、白色、緑色の画素（Ｒ、Ｂ、Ｇ、Ｒ、Ｗ、Ｇ）が順次に配列されている。そして、一つの列方向には青色、白色画素（‥Ｂ、Ｗ、‥）が交互に配置されており、この青色、白色画素列の両側には赤色及び緑色画素（‥Ｒ、Ｇ‥）が交互に配置されている赤色、緑色画素列が配置されている。したがって、互いに隣接する二つの画素行で同一列に位置された青色画素（Ｂ）及び白色画素（Ｗ）を中心に対角線方向に赤色及び緑色画素（Ｒ、Ｇ）が各々対向するように配置される。
【０１００】
しかし、前記の第８実施例とは異なって、中心に位置した青色及び白色画素が全体的に一つの菱形状をなしている。つまり、互いに隣接する二つの行の同一列に隣接して形成された青色画素（Ｂ）及び白色画素（Ｗ）は各々底辺が行方向と平行に形成される三角形状からなり、図１５のように底辺が互いに対応されるように配置されて一つの菱形状をなす。これは二つの画素行を含んで生成された一つの菱形が行方向に分離されている形態に見える。
【０１０１】
また、このような菱形状の青色画素及び白色画素（Ｂ、Ｗ）の４辺に赤色、緑色の４つの画素（Ｒ、Ｇ）が対角線方向に各々対向して配置されている。この時、二つの赤色画素（Ｒ）が青色及び白色画素（Ｂ、Ｗ）を中心に対角線方向に互いに対向するように配置され、また、二つの緑色画素（Ｇ）も青色及び白色画素（Ｂ、Ｗ）を中心に対角線方向に互いに対向するように配置される。
【０１０２】
したがって、第９実施例でも青色、赤色及び緑色画素は隣接した二つの画素行でジグザグ形態に配置され（つまり、同一色の画素を連結する線がジグザグになる）、白色画素もまた、ジグザグ形態に配置される。
【０１０３】
また、第８実施例と同一に、隣接した二つの画素行の同一列に位置される青色画素（Ｂ）及び白色画素（Ｗ）を中心に赤色、緑色の４つの画素（Ｒ、Ｇ）が対角線方向に各々対向するように配置したことを一つの画素領域とする時、このような画素領域が行方向及び列方向に順次に配列され、一つの画素領域列別に青色及び白色画素の位置が交互に変わる。
【０１０４】
次に、前記の画素配置構造を有する本発明の第９実施例による液晶表示装置の薄膜トランジスタ基板の構造について図１６及び図１７を参照してさらに詳細に説明する。
【０１０５】
図１６はこのような画素配置を有する本発明の第９実施例による液晶表示装置の薄膜トランジスタ基板の具体的な画素配置図であり、図１７は図１６でＸＶＩＩ−ＸＶＩＩ’線に沿って切って示した液晶表示装置用薄膜トランジスタ基板の断面図である。
【０１０６】
本発明の第９実施例による液晶表示装置の薄膜トランジスタ基板では図１５に示されたように、行方向には赤色、青色、緑色、赤色、白色、緑色の画素（Ｒ、Ｂ、Ｇ、Ｒ、Ｗ、Ｇ）が順次に配列されている。そして、一つの列方向には青色、白色画素（‥Ｂ、Ｗ、‥）が交互に配置されており、この青色、白色画素列の両側には赤色画素及び緑色画素（‥Ｒ、Ｇ‥）が交互に配置されている赤色、緑色画素列が配置されている。
【０１０７】
この時、図１６のように、行方向には各画素行に走査信号（ゲート信号）を伝達するゲート線（走査信号線）１２１がそれぞれの画素行に対して一つずつ形成されている。この隣接する二つの画素行に各々形成されるゲート線１２１は各画素行の画素を中心に対向するように配置されている。
【０１０８】
列方向には画素列にデータ信号を伝達するデータ線１７１がゲート線１２１と絶縁されて交差しながら画素（行方向配置：Ｒ、Ｂ、Ｇ、Ｒ、Ｗ、Ｇ、‥）の列方向に対して各々形成されている。
【０１０９】
ここで、ゲート線１２１とデータ線１７１が交差する部分にはゲート線１２１と連結されているゲート電極１２３とデータ線１７１と連結されているソース電極１７３、ゲート電極１２３に対してソース電極１７３と対向側に形成されているドレーン電極１７５、及び半導体層１５４を含む薄膜トランジスタが形成されており、それぞれの画素には薄膜トランジスタを通じてゲート線１２１及びデータ線１７１と電気的に連結されている画素電極１９０が形成されている。
【０１１０】
また、ゲート線１２１と同一層には、画素電極１９０と対向して維持容量を形成し、行方向にのびている維持容量線１３１が形成されている。維持容量線１３１は維持容量用配線の一部であって、互いに隣接する二つの行に各々形成された赤色、青色、緑色及び白色画素に対応する画素電極１９０と全て重なるように、二つの行の間の境界線上に形成されている。
【０１１１】
一方、データ線１７１はドレーン電極１７５に連結されており、それぞれのデータ線１７１の端には外部から映像信号の伝達を受けてデータ線１７１に伝達するためのデータパッド１７９が各々連結されている。このような構造で各画素列はデータ線１７１に連結されているデータパッド１７９を通じて各々画像信号の伝達を受ける。
【０１１２】
さらに詳細に本発明の第９実施例による液晶表示装置用薄膜トランジスタ基板の構造を見てみると、透明な絶縁基板１１０上部にゲート配線と維持容量用配線が形成されている。ゲート配線は行方向にのびている走査信号線またはゲート線１２１、及びゲート線１２１の一部である薄膜トランジスタのゲート電極１２３を含み、ゲート線１２１の端部１２５は外部回路との連結のために幅が拡張されている。この時、各青色画素列には一つのゲート線１２１に連結されているゲート電極１２３が各々形成されている。
【０１１３】
維持容量用配線、つまり、維持容量線１３１は後述する画素（Ｒ、Ｂ、Ｇ、Ｗ）の画素電極１９０と各々対向して画素の電荷保存能力を向上させるための維持容量を有する維持蓄電器を構成する。
【０１１４】
ゲート配線及び維持配線を覆うゲート絶縁膜１４０の上には低抵抗の導電物質からなるデータ配線が形成されている。データ配線は列方向に形成されて画素列単位で一つずつ配列されているデータ線１７１、これと連結されている薄膜トランジスタのソース電極１７３、及びゲート電極１２３または薄膜トランジスタの半導体層１５４に対してソース電極１７３の反対側に位置する薄膜トランジスタのドレーン電極１７５を含み、データ線１７１の一端部１７９は幅が拡張されている。
【０１１５】
各画素列にデータ線１７１が互いに離隔して配置されているのでデータ線１７１間の短絡を防止することができ、データ線１７１に伝達されるデータ信号間の干渉を防止することができる。
【０１１６】
ここで、データ配線もゲート配線と同様に単一層で形成することができるが、二重層や三重層で形成することもある。もちろん、二重層以上で形成する場合には一つの層は抵抗が小さい物質で形成し、他の層は他の物質との接触特性が良い物質で作るのが好ましい。
【０１１７】
データ配線及びこれらで覆われない半導体層１５４の上部にはアクリル系などの有機絶縁物質や窒化ケイ素などからなる保護膜１８０が形成されており、保護膜１８０の上部には接触孔１８５を通じてドレーン電極１７５と連結されている画素電極１９０がそれぞれの画素（Ｒ、Ｂ、Ｇ、Ｗ）に画素模様に沿って形成されている。
【０１１８】
このような本発明の第９実施例による構造でも第８実施例と同様に、隣接した二つの画素行の同一列に配置されれば、一つの菱形状をなす青色及び白色画素を中心に両側に隣接して形成された４つの赤色及び緑色画素を一つのドットを下記表７または表８で表示することができる。
【０１１９】
【表７】
2014123132.tif 000009
【０１２０】
【表８】
2014123132.tif 000010
【０１２１】
また、レンダリング技法を適用して隣接した二つの画素行で同一列に位置され、全体的に菱形状をなす青色画素及び白色画素を中心に一側に隣接した列に位置した赤色及び緑色画素（Ｒ、Ｇ）を一つのドットを下記表９または表１０として画像を表示することができる。
【０１２２】
【表９】
2014123132.tif 000011
【０１２３】
【表１０】
2014123132.tif 000012
【０１２４】
あるいは、色画素及び白色画素を中心に他側に隣接した列に位置した緑色及び赤色画素（Ｇ、Ｒ）を一つのドット下記表１１または表１２として画像を表示することができる。
【０１２５】
【表１１】
2014123132.tif 000013
【０１２６】
【表１２】
2014123132.tif 000014
【０１２７】
一方、前記の本発明の第９実施例とは異なって、互いに隣接する画素行で三角形状の青色及び白色画素を異なるように配置し、菱形状を実現することもできる。
【０１２８】
図１８は本発明の第１０実施例による液晶表示装置の画素配置例である。
【０１２９】
本発明の第１０実施例による液晶表示装置では添付した図１８に示されているように、前記の第９実施例と同一に、ペンタイルマトリックス形態で互いに隣接する二つの行に隣接して形成された青色画素（Ｂ）及び白色画素（Ｗ）が全体的に一つの菱形状をなす。
【０１３０】
この時、それぞれの青色画素（Ｂ）及び白色画素（Ｗ）は三角形状からなるが、第９実施例とは異なって、三角形の底辺が列方向に平行に形成されている。つまり、互いに隣接した二つの画素行にかけて一つの青色画素（Ｂ）及び白色画素（Ｗ）が、頂点が二つの画素行の境界線上に位置する三角形状に形成されており、このような形状の青色及び白色画素が底辺が互いに対応されるように配置されて一つの菱形状をなす。これは二つの画素行にかけて生成された一つの菱形が列方向に分離されている形態に見える。
【０１３１】
また、第９実施例と同一に、隣接する二つの行にかけて生成された菱形状の青色画素（Ｂ）及び白色画素（Ｗ）の４辺に各々赤色、緑色の４つの画素（Ｒ、Ｇ）が対角線方向に各々対向するように配置されている。
【０１３２】
一方、第９実施例とは異なって、隣接した二つの画素行にかけて配置される青色画素（Ｂ）及び白色画素（Ｗ）を中心に赤色、緑色の４つの画素（Ｒ、Ｇ）が対角線方向に各々対向するように配置したものを一つの画素領域とする時、このような画素領域が行方向及び列方向に順次に配列され、一つの画素領域行別に青色及び白色画素の位置が交互に変わる。
【０１３３】
つまり、図１８のように、一つの画素領域行で、各画素領域の青色画素（Ｂ）が白色画素（Ｗ）の右側に位置されていれば、隣接した他の画素領域行で各画素領域の青色画素（Ｂ）は白色画素（Ｗ）の左側に位置する。
【０１３４】
このような画素配置を有する本発明の第１０実施例による液晶表示装置の薄膜トランジスタ基板の構造は当業者であれば前記に記述した画素配置と、第９実施例に記述した構造及び断面から容易に考案することができるので、ここでは詳細な説明を省略する。
【０１３５】
本発明の第１０実施例にも、第８実施例のように、青色、赤色及び緑色画素は隣接した二つの画素行にかけてジグザグ形態に配置され、白色画素もまた、ジグザグ形態に配置される。
【０１３６】
したがって、このような本発明の第１０実施例による構造でも第９実施例と同一に、隣接した二つの画素行で全体的に菱形状をなす青色及び白色画素を中心に両側に隣接して形成された４つの赤色及び緑色画素を一つのドット下記表１３または表１４で表示することができる。
【０１３７】
【表１３】
2014123132.tif 000015
【０１３８】
【表１４】
2014123132.tif 000016
【０１３９】
また、レンダリング技法を適用して隣接した二つの画素行で全体的に菱形状をなす青色及び白色画素を中心として一方の側のみ隣接した列に位置した赤色及び緑色画素（Ｒ、Ｇ）を一つのドット下記表１５または表１６で表示することができる。
【０１４０】
【表１５】
2014123132.tif 000017
【０１４１】
【表１６】
2014123132.tif 000018
【０１４２】
あるいは、青色及び白色画素を中心に他方の側のみ隣接した列に位置した緑色及び赤色画素（Ｇ、Ｒ）を一つのドット下記表１７または表１８で表示することができる。
【０１４３】
【表１７】
2014123132.tif 000019
【０１４４】
【表１８】
2014123132.tif 000020
【０１４５】
一方、このような本発明の第８乃至第１０実施例によるペンタイル画素配列構造を有する液晶表示装置を通じて高解像度の画像を表現するためにレンダリング駆動技法を実施する場合にも、既存の駆動アルゴリズムを同一に適用することができる。
【０１４６】
このような本発明の実施例によれば、赤色及び緑色画素だけでなく、青色画素もジグザグ形態に配置され、また、白色画素も互いに隣接して配置されることなくジグザグ形態に配置されているので、解像度が十分でない場合にも特定色の画素集合による縦線パターンが視認されない。
【０１４７】
また、白色画素を駆動させて全体の輝度を高めることができる。この時、白色画素がジグザグパターンで配列されているので特定領域の輝度だけが増加せず、画面全体的に均一に輝度が増加する。また、白色画素を、例えば白色、灰色、黒色に調節して輝度を調節することもできる。
【０１４８】
以上、本発明の好ましい実施例について詳細に説明したが、本発明の権利範囲はこれに限定されず、請求範囲で定義している本発明の基本概念を利用した当業者の多様な変形及び改良形態もまた本発明の権利範囲に属する。
【０１４９】
以上のように青色成分が強化されたバックライトを使用することによって４色駆動時黄色化現象を防止することができ、液晶表示装置のセルギャップを均一に形成して白色画素の黄色化現象と段差部分で発生する回位線（ディスクリネーションライン）発生を防止するだけでなく、応答速度を最適化することができる。
【０１５０】
また、解像度が十分でない場合にも特定色の画素集合によって縦線パターンが現れることを防止することができるので、液晶表示装置の画質が向上する。
【符号の説明】
【０１５１】
３：液晶層
１２：下部偏光板
１３：下部補償板
２２：上部偏光板
２３：上部補償板
９５、９７：接触補助部材
１１０：下部基板
１２１：ゲート線
１２３：ゲート電極
１２５：ゲート線端部（パッド）
１３１：維持容量線
１４０：ゲート絶縁膜
１４５：画素電極バイア（連結部）
１５４：非晶質シリコン層
１６３、１６５：抵抗性接触層
１７１、１７３、１７５、１７９：データ配線
１７１：データ線
１７３：ソース電極
１７５：ドレーン電極
１７７：維持蓄電器用導電体パターン
１７９：データ線端部（パッド）
１８０：保護膜
１８１、１８５：画素電極とドレイン電極の接触孔
１８２、１８７、１８９：接触孔
１９０：画素電極
１９１：画素電極切開部
２１０：上部基板
２２０：ブラックマトリックス
２３０Ｒ、２３０Ｇ、２３０Ｂ：ＲＧＢ色フィルター
２３０Ｗ：全色透過フィルター
２５０：オーバーコート膜
２７０：基準電極
２７１：基準電極切開部
３５０：バックライトユニット
３５１：導光板
３５２：光源
【図１】
2014123132.tif 000021
【図２】
2014123132.tif 000022
【図３】
2014123132.tif 000023
【図４】
2014123132.tif 000024
【図５】
2014123132.tif 000025
【図６】
2014123132.tif 000026
【図７】
2014123132.tif 000027
【図８】
2014123132.tif 000028
【図９】
2014123132.tif 000029
【図１０】
2014123132.tif 000030
【図１１】
2014123132.tif 000031
【図１２】
2014123132.tif 000032
【図１３】
2014123132.tif 000033
【図１４】
2014123132.tif 000034
【図１５】
2014123132.tif 000035
【図１６】
2014123132.tif 000036
【図１７】
2014123132.tif 000037
【図１８】
2014123132.tif 000038